(57)【要約】      （修正有）【課題】オフィスなどの執務空間において、様々な情報に応じて発光体により照明演出を行い、空間の利用者に気付きを与える照明演出パネル、照明演出パネルの制御システム及び制御プログラムを提供する。【解決手段】照明演出システムは、照明演出パネルを形成する複数の面発光体２と、面発光体２の照明演出を制御する制御装置３と、制御装置３を、無線ルータＲを介してイントラネット経由で操作する操作端末４と、無線ルータＲを介してインターネットＮ経由で接続される電力監視サーバ５とを備える。照明演出パネル１は、オフィス空間の間仕切りやパーティションに用いられるものであって、方形状の板状体からなる。照明演出パネル１の発光体として、複数の面発光体２である有機ＥＬパネルを嵌め込んで構成している。【選択図】図３
2014017063.tif 000002
【特許請求の範囲】
【請求項１】
複数の発光デバイスと、前記発光デバイスを発光面が面上に露出するように所定の配列で設けたパネルと、を備え、
前記発光デバイスには、各々アドレスが付され、各々の発光デバイスが個別又は複数個のグループで所定の輝度及び発光色により発光可能であることを特徴とする照明演出パネル。
【請求項２】
前記発光体は、面発光体からなることを特徴とする請求項１記載の照明演出パネル。
【請求項３】
複数の発光デバイスと、前記発光デバイスを発光面が面上に露出するように所定の配列で設けたパネルとを備えた照明演出パネルと、
前記発光デバイスに各々アドレスが付され、各々の発光デバイスが個別又は複数個のグループで所定の輝度及び発光色により発光させる制御装置と、を備え、
前記制御装置は、
操作データの入力を受け付ける操作受付手段と、
前記照明演出パネルの前記発光体を、時系列に従って所定の輝度及び発光色で発光させる複数の演出パターンを演出データとして記憶した演出データ記憶部と、
前記操作データに基づいて、前記演出データ記憶部に記憶された前記演出パターンを選択し、照明演出の設定を行う照明演出設定手段と、
前記照明演出の設定に基づき、前記照明演出パネルの前記発光体により前記照明演出を実行する照明演出実行手段と、を備え、
前記演出パターンは、通常状態の演出であるループ演出パターンと、所定の時間に個別にスケジューリングされたイベント演出と、を含むことを特徴とする照明演出パネルの制御システム。
【請求項４】
前記ループ演出パターンは、サーカディアン・リズムにより、輝度及び発光色を設定したことを特徴とする請求項３記載の照明演出パネルの制御システム。
【請求項５】
複数の発光デバイスと、前記発光デバイスを発光面が面上に露出するように所定の配列で設けたパネルとを備えた照明演出パネルと、
前記発光デバイスに各々アドレスが付され、各々の発光デバイスが個別又は複数個のグループで所定の輝度及び発光色により発光させる制御装置と、を用いて照明演出パネルの制御プログラムであって、
前記プログラムは、前記制御装置に、
操作データの入力を受け付ける操作受付機能と、
前記照明演出パネルの前記発光体を、所定の態様で発光させる複数の演出パターンを演出データとして記憶させる演出データ記憶機能と、
前記操作データに基づいて、前記演出データ記憶機能により記憶された前記演出パターンを選択させ、照明演出の設定を行わせる照明演出設定機能と、
前記照明演出の設定に基づき、前記照明演出パネルの前記発光体により前記照明演出を実行させる照明演出実行機能と、を備え、
前記演出パターンは、通常状態の演出であるループ演出パターンと、所定の時間に個別にスケジューリングされたイベント演出と、を含むことを特徴とする照明演出パネルの制御プログラム。
【請求項６】
前記ループ演出パターンは、サーカディアン・リズムにより、輝度及び発光色を設定したことを特徴とする請求項５記載の照明演出パネルの制御プログラム。
【発明の詳細な説明】
【技術分野】
【０００１】
本発明は、オフィスなどの執務空間において用いられる発光体を備えた照明演出パネル、照明演出パネルの制御システム及び制御プログラムであって、特に、照明演出をプログラムにより制御することで、空間に適した照明を提供する技術に関する。
【背景技術】
【０００２】
近年、企業の競争力や業績の向上を図るための一つの手段として、オフィス空間におけるワーカー同士のコミュニケーションの活性化、モチベーションの向上、目標・理念の共有促進等を目指して、組織や個人がその創造性を最大限に発揮するための働き方に適した「場」であるクリエイティブ・オフィスの提供が推進されている。
【０００３】
このようなクリエイティブ・オフィスを実現する一つの方法として、照明の演出により、働きやすい快適な光環境を提供する技術がある。具体的には、体内時計による約1日周期のリズムである「サーカディアン・リズム」に則った照度や色温度の変化を制御し、コントロールする技術である。
【０００４】
サーカディアン・リズムにしたがって制御される照明器具として、発光色の異なる少なくとも２つのランプを一体化させ、この２つのランプの点灯時の出力を、それぞれ個別に制御するための調光機能付点灯回路と、この調光機能付点灯回路によって制御され、各ランプの出力を、ランプごとに個別に、または各ランプ間で連動させて調整して、灯体全体での発光の色温度を変化させるための色温度調整手段とを備えた照明器具が提案されている（例えば、特許文献１参照）。これによれば、発光の色温度を、サーカディアン・リズムや勉強内容等に応じて、任意に変化させることができる。
【０００５】
また、例えば、有機ＥＬ（エレクトロルミネッセンス）素子をはじめとする面発光体を用いて、この面発光体をパネルケースに収容して、調光制御モジュールを介して適切な照度とすることを実現した技術も提案されている（例えば、特許文献２参照）。
【先行技術文献】
【特許文献】
【０００６】
【特許文献１】特開２００８−３１０９９４号公報
【特許文献２】特開２０１０−１７７０４８号公報
【発明の概要】
【発明が解決しようとする課題】
【０００７】
ところで、上記のような従来の技術を用いれば、照明の照度を適度に調整することにより、例えば、サーカディアン・リズムに合わせて、オフィス空間に最適な照明を提供することが可能になっている。しかしながら、照明を通じて、ワーカーに何らかの情報を伝達し、またはオフィス空間の場面に合わせて雰囲気作りや照明の変化を行うまでには至っていなかった。
【０００８】
本発明は、以上のような従来技術の課題を解決するために提案されたものであり、その目的は、オフィスなどの執務空間において、様々な情報に応じて発光体により照明演出を実行し、空間の利用者に気付きを与える照明演出パネル、照明演出パネルの制御システム及び制御プログラムを提供することにある。
【課題を解決するための手段】
【０００９】
上記目的を達成するため、請求項１の発明は、複数の発光デバイスと、前記発光デバイスを発光面が面上に露出するように所定の配列で設けたパネルと、を備え、前記発光デバイスには、各々アドレスが付され、各々の発光デバイスが個別又は複数個のグループで所定の輝度及び発光色により発光可能であることを特徴とする。
【００１０】
以上の態様によれば、パネルに設けた発光デバイスを、個別又は複数個のグループで、所定の輝度及び発光色により発光可能にした。これにより、このパネルを会議室の間仕切りやオフィス空間のパーティションに用い、時系列に応じて、発光デバイスを発光させることで、照明を通じてワーカーに何らかの情報を伝達し、またはオフィス空間の場面に合わせて雰囲気作りや照明を変化させることが可能となる。
【００１１】
請求項２の発明は、請求項１の発明において、前記発光デバイスは、面発光体からなることを特徴とする。
以上の態様では、発光デバイスとして、例えば、有機ＥＬ（エレクトロルミネッセンス）素子をはじめとする面発光体を用いることで、パネルへの敷設が容易になるとともに、多彩な照明演出を行うことができるようになる。
【００１２】
請求項３の発明は、請求項１の照明演出パネルを制御して、複数の発光デバイスと、前記発光デバイスを発光面が面上に露出するように所定の配列で設けたパネルとを備えた照明演出パネルと、前記発光デバイスに各々アドレスが付され、各々の発光デバイスが個別又は複数個のグループで所定の輝度及び発光色により発光させる制御装置と、を備え、前記制御装置は、操作データの入力を受け付ける操作受付手段と、前記照明演出パネルの前記発光体を、時系列に従って所定の輝度及び発光色で発光させる複数の演出パターンを演出データとして記憶した演出データ記憶部と、前記操作データに基づいて、前記演出データ記憶部に記憶された前記演出パターンを選択し、照明演出の設定を行う照明演出設定手段と、前記照明演出の設定に基づき、前記照明演出パネルの前記発光体により前記照明演出を実行する照明演出実行手段と、を備え、前記演出パターンは、通常状態の演出であるループ演出パターンと、所定の時間に個別にスケジューリングされたイベント演出と、を含むことを特徴とする。
【００１３】
請求項５の発明は、請求項１又は３の照明演出パネル及び制御装置を制御して、複数の発光デバイスと、前記発光デバイスを発光面が面上に露出するように所定の配列で設けたパネルとを備えた照明演出パネルと、前記発光デバイスに各々アドレスが付され、各々の発光デバイスが個別又は複数個のグループで所定の輝度及び発光色により発光させる制御装置と、を用いて照明演出パネルの制御プログラムであって、前記プログラムは、前記制御装置に、操作データの入力を受け付ける操作データ受付機能と、前記照明演出パネルの前記発光体を、所定の態様で発光させる複数の演出パターンを演出データとして記憶させる演出データ記憶機能と、前記操作データに基づいて、前記演出データ記憶機能により記憶された前記演出パターンを選択させ、照明演出の設定を行わせる照明演出設定機能と、前記照明演出の設定に基づき、前記照明演出パネルの前記発光体により前記照明演出を実行させる照明演出実行機能と、を備え、前記演出パターンは、通常状態の演出であるループ演出パターンと、所定の時間に個別にスケジューリングされたイベント演出と、を含むことを特徴とする。
【００１４】
以上の態様では、パネルに設けた発光デバイスを、制御装置を用いて、個別又は複数個のグループで、所定の輝度及び発光色により発光可能とすることで、このパネルを会議室の間仕切りやオフィス空間のパーティションに用い、時系列に応じて発光デバイスを発光させることで、照明を通じて、ワーカーに何らかの情報を伝達し、またはオフィス空間の場面に合わせて雰囲気作りや照明の変化を行うことが可能となる。特に、制御装置は、通常状態における照明演出として実行されるループ演出と、所定の時間に個別のスケジューリングにより設定されるイベント演出とにより、照明演出パネルを制御可能であるので、執務空間において、一日の業務空間を、時系列に応じて所定の態様で照明演出を行うことができるとともに、会議やお昼休みなど、オフィスの執務空間で起きるイベントごとに、照明演出を変更することで、ワーカーに対する情報の伝達が可能となる。
【００１５】
請求項４又は６の発明は、請求項３又は５の発明において、前記ループ演出パターンは、サーカディアン・リズムにより、輝度及び発光色を設定したことを特徴とする。
以上の態様では、体内時計による約1日周期のリズムである「サーカディアン・リズム」に則った照度や色温度の変化を、照明演出パネルを用いて実行し、この調光により人間の1日のリズムに合わせた過ごしやすい快適な光環境を創出することができる。
【発明の効果】
【００１６】
以上の本発明によれば、オフィスなどの執務空間において、様々な情報に応じて発光体により照明演出を実行し、空間の利用者に気付きを与える照明演出パネル、その制御プログラム及び制御方法を提供することができる。
【図面の簡単な説明】
【００１７】
【図１】本発明の実施の形態に係る照明演出パネルの構成を示す図。
【図２】本発明の実施の形態に係る照明演出パネルの他の構成例を示す図。
【図３】本発明の実施の形態に係る照明演出システムの全体構成を示す図。
【図４】本発明の実施の形態に係る照明演出システムの機能ブロック構成を示す図。
【図５】本発明の実施の形態に係る照明演出システムの設定処理の一例を示すフローチャート図。
【図６】本発明の実施の形態に係る照明演出システムの定期イベントのデータテーブルを示す図。
【図７】本発明の実施の形態に係る照明演出システムの照明演出実行処理の一例を示すフローチャート図。
【図８】本発明の実施の形態に係る照明演出システムの照明演出の演出例を示す図。
【発明を実施するための形態】
【００１８】
以下、本発明を実施するための形態（以下、本実施形態という。）について、図面を参照して具体的に説明する。
【００１９】
［１．構成］
［１−１．照明演出パネル１及び照明演出システムの全体構成］
本実施形態の照明演出パネル１は、図１（ａ）にその正面図を、同図（ｂ）に側面図を示すように、オフィス空間の間仕切りやパーティションに用いられるものであって、方形の板状体からなる。本実施形態では、この照明演出パネル１の発光体として、複数の面発光体２として有機ＥＬ（エレクトロルミネッセンス）パネルを嵌め込んで構成している。
【００２０】
図1（ａ）に寸法を示すように、面発光体２は、照明演出パネル１において、設置面より大方１５００ｍｍ〜１８００ｍｍの高さになるように設置するのが好ましい。これは、オフィス空間の例えば会議室や執務室において、ワーカーが着座した際に、目線の高さに発光体が位置するようにするためである。ただし、この設置高さは最適な実施形態を示すものであり、必須の要件ではなく、設置高さは種々変更可能である。
【００２１】
ここで用いる面発光体２は、図１（ｃ）に斜視模式図を示し同図（ｄ）に側断面構成図を示すように、従来よりある有機ＥＬパネルを、発光面が１２０ｍｍ平方となるように形成したものである。面発光体２は、Ｒ（赤），Ｇ（緑），Ｂ（青）の三原色をなす各発光層を、図１（ｃ）の発光面に示すようにストライプ状に交互に配列している。そのため、各発光層に流す電流の比率を調整することにより、発光色を制御することができるようになっている。この面発光体２である有機ＥＬは、拡散フィルムで混色し、１枚で１色を点灯するように構成している。
【００２２】
なお、照明演出パネル１における面発光体２の配置構成は、図１（ａ）に示す態様に限られず、例えば、図２（ａ）に示すように、縦方向に一枚ずつずらして互い違いに配置することも可能であるし、同図（ｂ）に示すように、面発光体２を３列に配置し、各列が重ならないように互い違いになるように配置することも可能である。このように、デザインに応じて、種々の配置を採用することができる。
【００２３】
続いて、以上のような照明演出パネル１を含む本実施形態の照明演出システムの概略構成について、図３を用いて説明する。図３に示すように、本実施形態の照明演出システムは、照明演出パネル１を形成する複数の面発光体２と、面発光体２の照明演出を制御する制御装置３と、制御装置３を、無線ルータＲを介してイントラネット経由で操作する操作端末４と、無線ルータＲを介してインターネットＮ経由で接続される電力監視サーバ５とを備える。
【００２４】
ここでは、一つの間仕切り当たり面発光体２を８枚配置し、この間仕切り一枚ごとに電源プラグＰを設け、全体で４枚の間仕切りを配置して全３２枚の面発光体２を用いた例を示している。
【００２５】
照明演出パネル１の各面発光体２には、個別のアドレス１〜３２が付されており、このアドレスに基づいて、制御装置３がいずれかの面発光体２の発光具合を決定することで、各面発光体２は、独立した色を適時に発光することが可能になっている。
【００２６】
制御装置３は、後述する記憶手段（設定記憶手段ＤＢ）に記憶したプログラムに基づいて、操作端末４から設定される照明演出パターンで、照明演出パネル１の各面発光体２を制御する手段である。その際、電力監視サーバ５など、外部の情報を取得し、この情報に基づいて、設定された照明演出パターンに修正を加える。
【００２７】
操作端末４は、タッチパネルを備えたタブレット端末などにより、所定のアプリケーションを通じて視覚によりアイコンのタッチ選択による操作可能な端末を用いるのが好ましいが、所定のアプリケーションを実行可能で、イントラネット又はインターネット経由での通信が可能なコンピュータであれば問題ない。
【００２８】
なお、本実施形態では、制御装置３と、操作端末４とを分けて構成しているが、これは最適な実施形態を示すものであり、制御機能を操作端末４に持たせて、制御装置３と操作端末４とを一体に構成することも可能であり、このような構成は本発明において排除されるものではない。
【００２９】
電力監視サーバ５は、後述する本システムの演出の一つとして、一定期間ごとに消費電力を測定し、目標値を超えたら目標値以下となるまで演出プログラムを再生し、点灯させるための構成要素である。
【００３０】
［１−２．制御装置３の構成］
次に、図４を参照して、制御装置３の構成について、仮想的な機能ブロックを用いて説明する。図４に示すように、制御装置３は、制御装置３が制御プログラムにより所定の機能を実現する手段として、操作受付手段３１と、照明演出設定手段３２と、照明演出実行手段３３と、時刻情報取得手段３４と、消費電力データ取得手段３５と、アラーム出力要否判定手段３６と、室内情報取得手段３７と、天気情報取得手段３８と、を備える。また、制御装置３が、上記各機能を発揮するための各種センサ３９として計時手段３９ａと、温湿度計３９ｂと、人感センサ３９ｃと、設定記憶手段ＤＢと、を備える。
【００３１】
操作受付手段３１は、操作端末４における操作を、無線通信を通じて受信する手段である。照明演出設定手段３２は、操作受付手段３１が受信した操作内容を確認し、当該操作内容に対応する制御プログラムを、設定記憶手段ＤＢから読み出し、制御装置３における制御内容を設定する手段である。
【００３２】
照明演出実行手段３３は、照明演出設定手段３２によって特定された制御プログラムに従って、照明演出パネル１を制御して照明演出を実行する手段である。照明演出実行手段３３は、後述するように、設定記憶手段ＤＢに予め記憶された、基本的な照明演出であるループ演出と、イベント演出とのいずれかを照明演出パターンとして選択して設定するものである。
【００３３】
時刻情報取得手段３４は、時計機能を有する計時手段３９ａにアクセスして、現在時刻又は所定期間のタイマー情報を取得する手段である。
【００３４】
消費電力データ取得手段３５は、電力監視サーバ５にアクセスして、リアルタイムの電力消費量に関する情報を取得し、取得した電力消費量が目標の設定値を超えた場合と、電力消費量が目標値以下となった場合に、そのことをアラーム出力要否判定手段３６に出力する手段である。
【００３５】
アラーム出力要否判定手段３６は、消費電力データ取得手段３５から得られる電力消費量が目標設定値を超えた場合に、照明演出実行手段３３に対して、アラーム演出を実行するように入力する手段である。また、消費電力データ取得手段３５から得られる電力消費量が目標値以下となった場合に、照明演出実行手段３３に対して、アラーム演出の実行を終えるように入力する手段である。
【００３６】
室内情報取得手段３７は、照明演出パネル１の設置された空間内の情報を取得する手段であり、主として照明演出パネル１の設置空間内にワーカーが存在するか否かの情報を取得するものである。そのため、室内情報取得手段３７は、人感センサ３９ｃからの情報を用いて、照明演出パネル１の設置空間内にワーカーが存在するか否かを検知する。
【００３７】
天気情報取得手段３８は、温湿度計３９ｂから得られる温度及び湿度の情報を取得し、これを照明演出実行手段３３に入力する手段である。
【００３８】
［２．作用効果］
以上のような構成の照明演出パネル１及び照明演出システムにおける処理について、以下に説明する。以下では、まず、操作端末４を通じて照明演出パターンの設定がされるまでの照明演出設定処理を示した後に、照明演出の具体的処理と照明演出の演出例について説明する。
【００３９】
［２−１．照明演出パターンの設定処理］
図５を用いて、照明演出パターンの設定処理について説明する。操作端末４に予めインストールされたアプリケーションを用いるか、又はウェブブラウザを起動し、制御装置３にアクセスすることで、所定のフォーマットからなる設定画面から、照明演出パターンの設定が可能となる。
【００４０】
このような操作端末４における操作に基づいて、操作受付手段３１は、操作端末４からの操作データを受信したか否かを判断する（ステップＳ５０１）。操作受付手段３１は、操作データを受信するまでこの処理を繰り返す（ステップＳ５０１：ＮＯ）。一方、操作受付手段３１が、操作データを受信すると（ステップＳ５０１：ＹＥＳ）、ステップＳ５０２へ進む。
【００４１】
ステップＳ５０２では、照明演出設定手段３２は、操作受付手段３１が受信した操作データに基づいて、まず、設定記憶手段ＤＢへアクセスしてループ演出データを読み込む。
【００４２】
ここで、ループ演出データは、照明演出パネル１において通常時に実行される照明の演出であって、その一例として、後述するサーカディアン・リズムに基づく色温度及び照度を演出する設定パターンが挙げられる。
【００４３】
ここにいう、サーカディアン・リズムとは、人間は脳内にある体内時計からの指令に従って朝に目覚め、日中は活動し、夜に眠るというリズムを周期的に繰り返しているが、この自然環境に適合した約１日周期のリズムのことをいう。近年、このサーカディアン・リズムが、ビジネスパーソンの活動にも影響を与えていると考えられている。例えば、昼夜逆転の生活など、身体機能のサーカディアン・リズムと生活の周期が合致しないと、人間は体調を崩しやすくなるといわれる。一方で、サーカディアン・リズムをうまく利用することで、より効率的に仕事をこなすことができると考えられている。本実施形態では、体内時計による約１日周期のリズムである「サーカディアン・リズム」に則った照度や色温度の変化を、照明演出パネルを用いて実行し、この調光により人間の１日のリズムに合わせた過ごしやすい快適な光環境を創出するものである。
【００４４】
続いて、ステップＳ５０３において、照明演出設定手段３２が、受信した操作データがイベント演出を含むものであるかを確認する。照明演出設定手段３２は、操作データがイベント演出を含まないと判断した場合（ステップＳ５０３：ＮＯ）、ステップＳ５０４に進んで、ループ演出データに基づいて照明を設定する（ステップＳ５０４）。この場合、照明演出設定手段３２は、この読み込んだループ演出データを照明演出実行手段３３に送り、照明演出実行手段３３は、このループ演出データに基づいて、照明演出パネル１の面発光体２を制御して上述したサーカディアン・リズムに基づく照明演出を実行するものである。
【００４５】
一方、ステップＳ５０３において、照明演出設定手段３２が、操作データがイベント演出を含むと判断した場合（ステップＳ５０３：ＹＥＳ）、ステップＳ５０５に進む。
【００４６】
ステップＳ５０５において、照明演出設定手段３２は、入力されたイベントが定期イベントであるか否かを判断する。ここで、この定期イベントとは、図６にデータテーブルを示すとおり、例えば、オフィスのスケジュールに基づく定常的なイベントと考えられる始業前の「ラジオ体操」（アラーム時刻８：３５、平日に設定）、「始業」（アラーム時刻８：４０、平日に設定）の合図、お昼休みなどの「休憩」（アラーム時刻１２：００、平日に設定）、「休憩の終了」（アラーム時刻１２：５０、平日に設定）合図、「終業」（アラーム時刻１７：２５、平日に設定）の合図、例えば水曜日などいわゆるノー残業デーにおける「消灯」（アラーム時刻１８：３０、水曜日に設定）の合図などをいう。
【００４７】
照明演出設定手段３２が、イベントは定期的なものであると判断すると（ステップＳ５０５：ＹＥＳ）、ステップＳ５０６へ進んで、設定記憶手段ＤＢへアクセスして定期イベント演出データを読み込む。続いて、照明演出設定手段３２は、この読み込んだ定期イベントデータを、すでにステップＳ５０２において読み込んだループ演出データに加えて照明演出実行手段３３に送り（ステップＳ５０７）、照明演出パターンの設定処理を終了する（ＥＮＤ）。照明演出実行手段３３は、このループ演出データと定期イベントデータに基づいて、照明演出パネル１の面発光体２を制御して、照明演出を実行することとなる。
【００４８】
一方、ステップＳ５０５において、照明演出設定手段３２が、イベントは定期的なものではない、すなわち、不定期なものであると判断すると（ステップＳ５０５：ＮＯ）、ステップＳ５０８へ進んで、照明演出設定手段３２は不定期イベントの種別を判別する。
【００４９】
この不定期イベントとしては、例えば、以下の５つが挙げられる。
（１）会議室終了アラーム：時刻情報取得手段３４から得られる情報をもとに、会議室予約システムと連動し、予め登録した会議終了時刻の直前に演出プログラムを再生し、所定の色で面発光体２を点灯させ、会議の終了時刻が近づいたことを気付かせる。
（２）消費電力：消費電力データ取得手段３５から得られる情報をもとに、一定期間ごとに消費電力を測定し、目標値を超えたら目標値以下となるまで演出プログラムを再生し、所定の色で面発光体２を点灯させ、電力の使いすぎを気付かせる。
（３）室温：室内情報取得手段３７から得られる情報をもとに、一定期間ごとに室温を取得し、目標値の範囲を超えたら目標値以内になるまで演出プログラムを再生し、所定の色で面発光体２を点灯させ、エアコンの設定値が範囲外になっていることを気付かせる。
（４）降雨量：天気情報取得手段３８から得られる情報をもとに、降雨量を測定し、降雨を検知したら検知しなくなるまで演出プログラムを再生し、所定の色で面発光体２を点灯させ、雨が降っていることを気付かせる。
（５）人感センサ：室内情報取得手段３７から得られる情報をもとに、会議室内の人の存在を検出し、検知しなくなるまで所定の色で面発光体２を点灯させる。
（６）株価：設定した株価が目標値以下になった場合に、演出プログラムを再生し、所定の色で面発光体２を点灯させる。
【００５０】
照明演出設定手段３２は、判別した不定期イベントの演出データを、すでにステップＳ５０２において読み込んだループ演出データに加えて照明演出実行手段３３に送り（ステップＳ５０７）、照明演出パターンの設定処理を終了する（ＥＮＤ）。
【００５１】
［２−２．照明演出の演出例］
以上のような照明演出設定手段３２による照明演出パターンの設定に基づき、照明演出実行手段３３は、照明演出パネル１の面発光体２を制御して、照明演出を実行する。以下では、この照明演出実行手段３３における照明演出の具体例を、図７のフローチャートを用いて説明する。なお、図７のフローチャートは、図５に示した照明演出パターンの設定において、ループ演出に加えてイベント演出として、不定期イベントの「会議室終了アラーム」（不定期イベント（１））と「消費電力」（不定期イベント（２））が設定された場合を示す。また、ループ演出としては、上述した具体例のサーカディアン・リズム用の演出を採用した場合であるとする。
【００５２】
図７に示すように、照明演出実行手段３３は、ステップＳ７０１において、時刻情報取得手段３４から時刻情報を取得して、現在時刻がアラーム時刻として設定された時間に到達したか否かを判断する。照明演出実行手段３３は、アラーム時刻に到達したと判断した場合（ステップＳ７０１：ＹＥＳ）、ステップＳ７０２に進んで、アラーム演出用データを照明演出パネル１に送信して点灯させ、ステップＳ７０３に進む。
【００５３】
ここで、アラーム演出の具体例を図８（ａ）に示す。同図に表されるように、「経過時間（秒）」として一定時間（ここでは４秒間）を取って、変化のある態様で照明演出パネル１の面発光体２を発光させることで、アラームを表現している。この例では、例えば、白色に発光させた状態から、図に塗り潰しで示す箇所を２コマずつ発光体の両側から０．１秒間隔で、内側へ移動させるように変移させている。このように、イベントとして設定された所定の時間に到達した場合に、照明演出パネル１の面発光体２を所定の態様で発光させることで、設定されたイベントの到達を、ワーカーに知らせる。なお、図面では塗り潰した発光表現が黒色になっているが、実際には、設定によって、発光体が発色可能な如何なる色によって発光させて構わない。
【００５４】
ステップＳ７０３では、照明演出実行手段３３は、消費電力データ取得手段３５から、消費電力データ取得手段３５が取得した電力データを読み込む。続いて、ステップＳ７０４において、照明演出実行手段３３は、読み込んだ電力データが、予め設定した消費電力の設定値（目標値）を超過したかどうかを判断する。照明演出実行手段３３は、消費電力が、予め設定した設定値を上回っていないと判断した場合には、ステップＳ７０５に進んで、照明演出パネル１に対してループ演出のデータとして、サーカディアン・リズム用データを送信し、発光体２を当該データに基づいて発光させる。
【００５５】
一方、照明演出実行手段３３は、消費電力が予め設定した設定値を上回っていると判断した場合には、ステップＳ７０６に進んで、照明演出パネル１に対して不定期イベントデータとして、消費電力超過演出データを送信し、発光体２を当該データに基づいて発光させる。この消費電力超過演出の例について、図８（ｂ）に示すように、（図では色彩を表現できないためハッチングとしているが）照明演出パネル１に取り付けられた面発光体２全体を同色、特にこの場合は、赤色など警告を示す色に近い色彩で発光させる。この場合、全体に「ゆらぎ」を加えて視覚的に動きのある表現としてもよい。
【００５６】
続いて、ステップＳ７０７において、照明演出実行手段３３は、時刻情報取得手段３４から時刻情報を取得して、照明演出の設定時間を超過しているか否かを判断する。照明演出実行手段３３は、未だ設定時間が経過していない場合には、ステップＳ７０１に戻って上述した処理を繰り返す（ステップＳ７０７：ＮＯ）。照明演出実行手段３３は、設定時間が経過している場合には（ステップＳ７０７：ＹＥＳ）、処理を終了する（ＥＮＤ）。
【００５７】
［２−３．他の照明演出の演出例］
以上のとおり、照明演出パネル１の演出パターン例として、通常時に実行されるループ演出と、イベント演出として定期的に実行される定期イベント演出及び不定期で実行される不定期イベント演出を示したが、上記に示したものは一例であり、照明演出パネル１の演出パターンは、設定により種々のパターンを適宜に実行可能である。
【００５８】
不定期イベントの例として、オフィスにおける会議中の演出が挙げられる。例えば、１時間の会議予定であれば、会議開始から１０分ほどは和みの雰囲気を作るための明るい色（オレンジなどの色演出）で発光させ、議論が白熱してくる中盤にかけては、白色と青色を基調にした色で発光させる。そして、会議終了１０分前から再び明るい色で発光させ、場の雰囲気を演出することで、ワーカーに、会議の終了が近いことを知らせ、会議の終結に向けた準備を促す。
【００５９】
また、不定期イベントの他の例として、照明演出パネル１の面発光体２を用いて、クライアントの来社を報知する照明演出パターンや、天気情報取得手段３８から得られる情報を用いて室内の温度や湿度が快適でないと判断したときや、雨が降り出した又は晴れたなどの天候の変化などを通知する照明演出パターンを設けるなど、種々考えられる。
【００６０】
［２−４．効果］
以上のような本実施形態の照明演出パネル１及び照明演出システムによれば、以下のような効果を奏する。すなわち、照明演出パネルに設けた発光体を、制御装置を用いて、個別又は複数個のグループで、所定の輝度及び発光色により発光可能とする。この照明演出パネルを会議室の間仕切りやオフィス空間のパーティションに用い、時系列に応じて、発光体を発光させることで、照明を通じて、ワーカーに何らかの情報を伝達し、またはオフィス空間の場面に合わせて雰囲気作りや照明の変化を行うことが可能となる。
【００６１】
特に、制御装置は、通常状態における照明演出として実行されるループ演出と、所定の時間に個別のスケジューリングにより設定されるイベント演出とにより、照明演出パネルを制御可能であるので、執務空間において、一日の業務空間を、時系列に応じて所定の態様で照明演出を行うことができる。これとともに、会議やお昼休みなど、オフィスの執務空間で起きるイベントごとに、照明演出を変更することで、ワーカーに対して情報の伝達が可能となる。
【００６２】
通常、オフィス空間における会議では、時計を確認することは、会議の相手方への配慮等から難しいが、照明の色変化で会議時間を知らせることで、時計の確認を行わなくてもワーカーが会議の進行やスケジュールなどを知ることができる。
【００６３】
このように、照明演出パネルに設けられた複数の面発光体を用いて、さまざまな色演出を行うことで、従来の文字情報や声によるアナウンスによる報知ではなく、雰囲気的または感覚的にだれもが情報を共有することができる効果を奏する。
【００６４】
特に、有機ＥＬから構成される複数の面発光体を用いることで、様々な色変化による演出が可能となる。例えば、１枚の面発光体のみ用いる場合、色変化による演出力に乏しく、微妙な表現の報知などが困難であるが、複数の面発光体により、これらを複数の色で変化させることで、多彩な表現が可能となる。もちろん、複数の面発光体を利用するため部屋の照明としても十分利用可能です。
【００６５】
通常のループ演出では、体内時計による約１日周期のリズムである「サーカディアン・リズム」に則った照度や色温度の変化を、照明演出パネルを用いて実行し、この調光により人間の１日のリズムに合わせた過ごしやすい快適な光環境を創出することができる。
【００６６】
また、イベント演出のうち、不定期に発生するイベントの一例としては、電力量が基準値を上回ったときに、突発的に報知する必要が生じた場合などが考えられる。この場合、複数の色パネルを赤色に点灯または点滅させて、電気量が上回っていることを報知することが可能である。これにより、ワーカーは、タスクライトを消灯したり、エアコンの設定温度を下げるなど、照明による間接的な情報伝達により、スムーズな対処が可能となる。
【符号の説明】
【００６７】
１…照明演出パネル
２…面発光体
３…制御装置
３１…操作受付手段
３２…照明演出設定手段
３３…照明演出実行手段
３４…時間情報取得手段
３５…消費電力データ取得手段
３６…アラーム出力要否判定手段
３７…室内情報取得手段
３８…天気情報取得手段
３９…各種センサ
３９ａ…計時手段
３９ｂ…温湿度計
３９ｃ…人感センサ
ＤＢ…設定記憶手段
Ｎ…インターネット
Ｐ…電源プラグ
Ｒ…無線ルータ
【図１】
2014017063.tif 000003
【図２】
2014017063.tif 000004
【図３】
2014017063.tif 000005
【図４】
2014017063.tif 000006
【図５】
2014017063.tif 000007
【図６】
2014017063.tif 000008
【図７】
2014017063.tif 000009
【図８】
2014017063.tif 000010